(57)【要約】      （修正有）【課題】既存の建物であっても既に建物内に設置されている家具などを移動させたり、床材を剥がしたりせずに床下から床暖房工事できる蓄熱式床暖房装置および蓄熱式床暖房方法の提供。【解決手段】蓄熱式床暖房構造２は、床材５裏面を覆うように密接して、かつ根太４間の長手方向４Ａに平行に配設された厚さｄ１の蓄熱体７と、蓄熱体７裏面を覆うように密接して配設された厚さｄ２のパイプマット形状の加熱体８と、加熱体８裏面を覆うように密接して配設された厚さｄ３の第１断熱材９と、第１断熱材９裏面に密接して配設された厚さｄ４の断熱性に優れた第２断熱材１０と、蓄熱体７、加熱体８、第１断熱材９および第２断熱材１０の全体を支持・固定する落下防止用止め材とを備えて構成されており、別途設置されたヒートポンプユニットからの温水をパイプマット形状の加熱体８に導き、蓄熱体７を加熱して蓄熱して床暖房することにより課題を解決できる。【選択図】図１
2008304119.tif 000002
【特許請求の範囲】
【請求項１】
複数の大引の上に前記大引に対してほぼ直角に複数の根太を配設し、前記根太の上に床材を配設し、前記大引、前記根太および前記床材で囲まれる床下空間に装着した蓄熱式床暖房構造を備えた蓄熱式床暖房装置であって、
前記蓄熱式床暖房構造は、前記床材裏面を覆うように密接して、かつ前記根太間の長手方向に平行に配設された所定の厚さｄ１の蓄熱体と、前記蓄熱体裏面を覆うように密接して、かつ前記根太間の長手方向に平行に配設された所定の厚さｄ２のパイプマット形状の加熱体と、前記加熱体裏面を覆うように密接して、かつ前記根太間の長手方向に平行に配設された所定の厚さｄ３の耐熱性に優れた第１断熱材と、前記第１断熱材裏面および前記根太裏面を覆うように密接して、かつ前記大引間の長手方向に平行に配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置。
【請求項２】
前記根太の厚さをＤ１とし、前記大引の厚さをＤ２とすると、Ｄ１〜Ｄ２、ｄ１〜ｄ４が下記の式（１）、式（２）で表される関係にあることを特徴とする請求項１記載の蓄熱式床暖房装置。
Ｄ１＝ｄ１＋ｄ２＋ｄ３            式（１）
Ｄ２≧ｄ４                        式（２）
【請求項３】
複数の大引の上に下地合板を配設し、前記下地合板の上に床材を密接して配設し、前記大引および前記下地合板で囲まれる床下空間に装着した蓄熱式床暖房構造を備えた蓄熱式床暖房装置であって、
前記蓄熱式床暖房構造は、前記下地合板裏面を覆うように密接して配設された所定の厚さｄ１の蓄熱体と、前記蓄熱体裏面を覆うように密接して配設された所定の厚さｄ２のパイプマット形状の加熱体と、前記加熱体裏面を覆うように密接して配設された所定の厚さｄ３の耐熱性に優れた第１断熱材と、前記第１断熱材裏面を覆うように密接して配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置。
【請求項４】
前記蓄熱体は、潜熱蓄熱材を脱気密封充填したプラスチック系多層積層体からなる袋体を内袋とし、アルミニウム層を有する多層積層体からなる袋体を外袋とし、前記外体に前記内袋を脱気密封包装した二重構造袋であることを特徴とする請求項１から請求項３のいずれかに記載の蓄熱式床暖房装置。
【請求項５】
前記パイプマット形状の加熱体は、前記ヒートポンプユニットからの温水を供給する往路メインパイプ端部から直交して多数枝別れして前記根太間の長手方向に平行にそれぞれ並列して配設された熱交換用パイプと、熱交換して前記蓄熱体を加熱した後に温水を前記ポンプユニットへ戻すために前記多数の熱交換用パイプヒートを端部に直交して接続した復路メインパイプを備えていることを特徴とする請求項１から請求項４のいずれかに記載の蓄熱式床暖房装置。
【請求項６】
前記第１断熱材は前記パイプマット形状の加熱体からの繰り返し熱エネルギーに耐える耐熱性を有し、前記第２断熱材は前記第１断熱材より優れた断熱性を有するように材料を選定して、前記蓄熱体に蓄えられたエネルギーが床暖房に効率よく使われるように構成したことを特徴とする請求項１から請求項５のいずれかに記載の蓄熱式床暖房装置。
【請求項７】
前記落下防止用止め材が、前記大引間の長さを有する棒状の複数の第１落下防止用止め材と前記第１落下防止用止め材を前記大引間の前記第２断熱材裏面に設置し、設置した前記第１落下防止用止め材を前記大引に固定するための複数の第２落下防止用止め材とからなり、前記第１落下防止用止め材と前記第２落下防止用止め材を用いて、前記蓄熱体、前記加熱体、前記第１断熱材および前記第２断熱材の全体を支持・固定する構成としたことを特徴とする請求項１から請求項６のいずれかに記載の蓄熱式床暖房装置。
【請求項８】
前記第２落下防止用止め材が、前記棒状の第１落下防止用止め材の両端部に一体に形成されて配設されていることを特徴とする請求項７記載の蓄熱式床暖房装置。
【請求項９】
前記大引間の長さに合うように、長さを伸縮自在に変更して調節し、調節後その長さに固定できる構成としたことを特徴とする請求項８記載の蓄熱式床暖房装置。
【請求項１０】
前記落下防止用止め材が、前記第２断熱材を貫通して前記根太に貫通して達する釘状止め材であって、複数の前記釘状止め材を前記第２断熱材を貫通させて前記根太に貫通して固定して、前記蓄熱体、前記加熱体、前記第１断熱材および前記第２断熱材の全体を支持・固定する構成としたことを特徴とする請求項１あるいは請求項２に記載の蓄熱式床暖房装置。
【請求項１１】
複数の大引の上に前記大引に対してほぼ直角に複数の根太を配設し、前記根太の上に床材を配設し、前記大引、前記根太および前記床材で囲まれる床下空間に請求項１記載の蓄熱式床暖房構造を下記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法。
（１）床材裏面を覆うように密接して、かつ前記根太間の長手方向に平行に所定の厚さｄ１の蓄熱体を仮止めする。
（２）仮止めした前記蓄熱体裏面を覆うように密接して、かつ前記根太間の長手方向に平行に所定の厚さｄ２のパイプマット形状の加熱体を仮止めする。
（３）仮止めした前記加熱体裏面を覆うように密接して、かつ前記根太間の長手方向に平行に所定の厚さｄ３の耐熱性に優れた第１断熱材を仮止めする。
（４）仮止めした前記第１断熱材裏面および前記根太裏面を覆うように密接して、かつ前記大引間の長手方向に平行に所定の厚さｄ４の断熱性に優れた第２断熱材を仮止めする。
（５）仮止めした前記蓄熱体、前記加熱体、前記第１断熱材および前記第２断熱材の全体を落下防止用止め材を用いて支持・固定する。
【請求項１２】
複数の大引の上に下地合板を配設し、前記下地合板の上に床材を密接して配設し、前記大引および前記下地合板で囲まれる床下空間に請求項３記載の蓄熱式床暖房構造を下記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法。
（１）下地合板裏面を覆うように密接して所定の厚さｄ１の蓄熱体を仮止めする。
（２）仮止めした前記蓄熱体裏面を覆うように密接して所定の厚さｄ２のパイプマット形状の加熱体を仮止めする。
（３）仮止めした前記加熱体裏面を覆うように密接して所定の厚さｄ３の耐熱性に優れた第１断熱材を仮止めする。
（４）仮止めした前記第１断熱材裏面を覆うように密接して所定の厚さｄ４の断熱性に優れた第２断熱材を仮止めする。
（５）仮止めした前記蓄熱体、前記加熱体、前記第１断熱材および前記第２断熱材の全体を落下防止用止め材を用いて支持・固定する。
【請求項１３】
工程（１）において、内袋に潜熱蓄熱材を充填していない二重構造袋を用い、下地合板裏面を覆うように密接して、かつ前記二重構造袋の内袋に所定量の潜熱蓄熱材を脱気密封充填した後に所定の厚さｄ１の蓄熱体が形成されるように前記二重構造袋を仮止めし、
工程（２）において、仮止めした前記二重構造袋裏面を覆うように密接して所定の厚さｄ２のパイプマット形状の加熱体を仮止めし、
工程（３）において、仮止めした前記加熱体裏面を覆うように密接して所定の厚さｄ３の耐熱性に優れた第１断熱材を仮止めし、
工程（４）において、仮止めした前記第１断熱材裏面を覆うように密接して所定の厚さｄ４の断熱性に優れた第２断熱材を仮止めし、
工程（５）において、仮止めした前記二重構造袋、前記加熱体、前記第１断熱材および前記第２断熱材および次の工程で所定量脱気密封充填する潜熱蓄熱材の全体を落下防止用止め材を用いて支持・固定した後、
工程（６）において、前記二重構造袋の内袋に所定量の潜熱蓄熱材を充填し脱気密封し、そして前記二重構造袋の外袋を脱気密封することを特徴とする請求項１１あるいは請求項１２に記載の蓄熱式床暖房方法。
【発明の詳細な説明】
【技術分野】
【０００１】
本発明は、蓄熱式床暖房装置および蓄熱式床暖房方法に関するものであり、さらに詳細には、既存の建物であっても既に建物内に設置されている家具などを移動させたり、床材を剥がしたりすることなく、床下から床暖房工事をすることができる蓄熱式床暖房装置および蓄熱式床暖房方法に関するものである。
【背景技術】
【０００２】
従来、電気ヒータからの熱を圧電素子を封入した蓄熱体に蓄え床暖房に利用する蓄熱床暖房装置（特許文献１参照）、面状発熱体の上部および下部にそれぞれ蓄熱温度の異なる蓄熱体で覆った床暖房装置および床暖房構造（特許文献２参照）、根太間に配設された蓄熱材を加熱する加熱手段の温度を測定する発熱温度測定手段などを特定個所に設置した蓄熱床暖房装置（特許文献３参照）、蓄熱材とヒータパネルと断熱材を床材の下に設けた蓄熱式床暖房装置（特許文献４参照）、均熱シートを特定位置に貼着した発熱シートと蓄熱ボードを床材の下に設けた蓄熱床暖房装置（特許文献５参照）、断熱層を大引の上にのせ、その上に床暖房層をのせ、その上に床仕上げ材を備えた蓄熱床暖房構造（特許文献６参照）などが提案されている。
【０００３】
一方、ヒートポンプで暖められた湯水を貯湯タンクに蓄えて床暖房に利用する調温手段を備えた床下調温装置および床下調温建物（特許文献７参照）、短時間で暖房を立ち上げることができるヒートポンプ暖房システム（特許文献８参照）、床暖房や温水暖房や風呂や給湯などの多目的に利用できる寒冷地向けのヒートポンプ式給湯・暖房装置（特許文献９参照）などが提案されている。
【特許文献１】特開平５−２８０７５７号公報
【特許文献２】特開平７−３３２６９０号公報
【特許文献３】特開平１０−１６０１７８号公報
【特許文献４】特開２０００−１８６８２５号公報
【特許文献５】特開２００３−９０５４９号公報
【特許文献６】特開２００３−２０２１１７号公報
【特許文献７】特開２００６−２３０５６号公報
【特許文献８】特開２００２−３２３２３０号公報
【特許文献９】特開２００６−１５３３０７号公報
【発明の開示】
【発明が解決しようとする課題】
【０００４】
従来の蓄熱式床暖房の施工法は、建物の新築時に現場進行状況に合わせて根太間に装置を設置する工法であり、一方、既存の建物に敷設する場合は、施工する部屋などの家具などを運びだし、床材を剥がした後に、床下断熱工事や床暖房装置を設置するための根太間工事を行い、その後、床暖房装置を敷設しなければならないので床暖房以外の工事や手間がかかり、工事期間が長くなり工事費が高くなる問題があった。
【０００５】
電気式やガス温水式で薄型のパネル型床暖房が市販されているが、やはり既存の建物に敷設する場合は、施工する部屋などの家具などを運びだし、既存の床材の上にパネル型床暖房を敷設し、その上に新たな床材を敷設するが、工事費が低くなるなどの効果はあるが、新たな床材を敷設すると、床暖房をしていない部屋などと床高さが違ってきて段差が生じ、バリアーフリー住宅には適さないなどの新たな問題も発生し、いずれの工法にしても居住者が生活している場合は工事ができないことになるという問題がある。
【０００６】
また、ヒートポンプで暖められた湯水を貯湯タンクに一旦蓄えて床暖房などに利用する方法は、設備が大きくなり、設置スペースの確保が問題となる場合が多い。床下に基礎モルタル槽やコンクリート槽を設けて蓄熱槽とする場合は、蓄熱槽に蓄えた熱エネルギーを水や空気に熱交換して温水や温風にして利用するためにエネルルギー利用効率が低下する問題がある。
【０００７】
本発明の第１の目的は、既存の建物であっても既に建物内に設置されている家具などを移動させたり、床材を剥がしたりすることなく、床下から床暖房工事をすることができる蓄熱式床暖房装置を提供することであり、
本発明の第２の目的は、そのような床暖房工事を行って容易に床暖房することができる蓄熱式床暖房方法を提供することである。
【課題を解決するための手段】
【０００８】
前記課題を解決するための本発明の請求項１記載の発明は、複数の大引の上に前記大引に対してほぼ直角に複数の根太を配設し、前記根太の上に床材を配設し、前記大引、前記根太および前記床材で囲まれる床下空間に装着した蓄熱式床暖房構造を備えた蓄熱式床暖房装置であって、
前記蓄熱式床暖房構造は、前記床材裏面を覆うように密接して、かつ前記根太間の長手方向に平行に配設された所定の厚さｄ１の蓄熱体と、前記蓄熱体裏面を覆うように密接して、かつ前記根太間の長手方向に平行に配設された所定の厚さｄ２のパイプマット形状の加熱体と、前記加熱体裏面を覆うように密接して、かつ前記根太間の長手方向に平行に配設された所定の厚さｄ３の耐熱性に優れた第１断熱材と、前記第１断熱材裏面および前記根太裏面を覆うように密接して、かつ前記大引間の長手方向に平行に配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置である。
【０００９】
本発明の請求項２記載の発明は、請求項１記載の蓄熱式床暖房装置において、前記根太の厚さをＤ１とし、前記大引の厚さをＤ２とすると、Ｄ１〜Ｄ２、ｄ１〜ｄ４が下記の式（１）、式（２）で表される関係にあることを特徴とする。
Ｄ１＝ｄ１＋ｄ２＋ｄ３            式（１）
Ｄ２≧ｄ４                        式（２）
【００１０】
本発明の請求項３記載の発明は、複数の大引の上に下地合板を配設し、前記下地合板の上に床材を密接して配設し、前記大引および前記下地合板で囲まれる床下空間に装着した蓄熱式床暖房構造を備えた蓄熱式床暖房装置であって、
前記蓄熱式床暖房構造は、前記下地合板裏面を覆うように密接して配設された所定の厚さｄ１の蓄熱体と、前記蓄熱体裏面を覆うように密接して配設された所定の厚さｄ２のパイプマット形状の加熱体と、前記加熱体裏面を覆うように密接して配設された所定の厚さｄ３の耐熱性に優れた第１断熱材と、前記第１断熱材裏面を覆うように密接して配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置である。
【００１１】
本発明の請求項４記載の発明は、請求項１から請求項３のいずれかに記載の蓄熱式床暖房装置において、前記蓄熱体は、潜熱蓄熱材を脱気密封充填したプラスチック系多層積層体からなる袋体を内袋とし、アルミニウム層を有する多層積層体からなる袋体を外袋とし、前記外袋に前記内袋を脱気密封包装した二重構造袋であることを特徴とする。
【００１２】
本発明の請求項５記載の発明は、請求項１から請求項４のいずれかに記載の蓄熱式床暖房装置において、
前記パイプマット形状の加熱体は、前記ヒートポンプユニットからの温水を供給する往路メインパイプ端部から直交して多数枝別れして前記根太間の長手方向に平行にそれぞれ並列して配設された熱交換用パイプと、熱交換して前記蓄熱体を加熱した後に温水を前記ポンプユニットへ戻すために前記多数の熱交換用パイプヒートを端部に直交して接続した復路メインパイプを備えていることを特徴とする。
【００１３】
本発明の請求項６記載の発明は、請求項１から請求項５のいずれかに記載の蓄熱式床暖房装置において、
前記第１断熱材は前記パイプマット形状の加熱体からの繰り返し熱エネルギーに耐える耐熱性を有し、前記第２断熱材は前記第１断熱材より優れた断熱性を有するように材料を選定して、前記蓄熱体に蓄えられたエネルギーが床暖房に効率よく使われるように構成したことを特徴とする。
【００１４】
本発明の請求項７記載の発明は、請求項１から請求項６のいずれかに記載の蓄熱式床暖房装置において、
前記落下防止用止め材が、前記大引間の長さを有する棒状の複数の第１落下防止用止め材と前記第１落下防止用止め材を前記大引間の前記第２断熱材裏面に設置し、設置した前記第１落下防止用止め材を前記大引に固定するための複数の第２落下防止用止め材とからなり、前記第１落下防止用止め材と前記第２落下防止用止め材を用いて、前記蓄熱体、前記加熱体、前記第１断熱材および前記第２断熱材の全体を支持・固定する構成としたことを特徴とする。
【００１５】
本発明の請求項８記載の発明は、請求項７記載の蓄熱式床暖房装置において、前記第２落下防止用止め材が、前記棒状の第１落下防止用止め材の両端部に一体に形成されて配設されていることを特徴とする。
【００１６】
本発明の請求項９記載の発明は、請求項８記載の蓄熱式床暖房装置において、  前記大引間の長さに合うように、長さを伸縮自在に変更して調節し、調節後その長さに固定できる構成としたことを特徴とする。
【００１７】
本発明の請求項１０記載の発明は、請求項１あるいは請求項２に記載の蓄熱式床暖房装置において、
前記落下防止用止め材が、前記第２断熱材を貫通して前記根太に貫通して達する釘状止め材であって、複数の前記釘状止め材を前記第２断熱材を貫通させて前記根太に貫通して固定して、前記蓄熱体、前記加熱体、前記第１断熱材および前記第２断熱材の全体を支持・固定する構成としたことを特徴とする。
【００１８】
本発明の請求項１１記載の発明は、複数の大引の上に前記大引に対してほぼ直角に複数の根太を配設し、前記根太の上に床材を配設し、前記大引、前記根太および前記床材で囲まれる床下空間に請求項１記載の蓄熱式床暖房構造を下記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法である。
（１）床材裏面を覆うように密接して、かつ前記根太間の長手方向に平行に所定の厚さｄ１の蓄熱体を仮止めする。
（２）仮止めした前記蓄熱体裏面を覆うように密接して、かつ前記根太間の長手方向に平行に所定の厚さｄ２のパイプマット形状の加熱体を仮止めする。
（３）仮止めした前記加熱体裏面を覆うように密接して、かつ前記根太間の長手方向に平行に所定の厚さｄ３の耐熱性に優れた第１断熱材を仮止めする。
（４）仮止めした前記第１断熱材裏面および前記根太裏面を覆うように密接して、かつ前記大引間の長手方向に平行に所定の厚さｄ４の断熱性に優れた第２断熱材を仮止めする。
（５）仮止めした前記蓄熱体、前記加熱体、前記第１断熱材および前記第２断熱材の全体を落下防止用止め材を用いて支持・固定する。
【００１９】
本発明の請求項１２記載の発明は、複数の大引の上に下地合板を配設し、前記下地合板の上に床材を密接して配設し、前記大引および前記下地合板で囲まれる床下空間に請求項３記載の蓄熱式床暖房構造を下記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法である。
（１）下地合板裏面を覆うように密接して所定の厚さｄ１の蓄熱体を仮止めする。
（２）仮止めした前記蓄熱体裏面を覆うように密接して所定の厚さｄ２のパイプマット形状の加熱体を仮止めする。
（３）仮止めした前記加熱体裏面を覆うように密接して所定の厚さｄ３の耐熱性に優れた第１断熱材を仮止めする。
（４）仮止めした前記第１断熱材裏面を覆うように密接して所定の厚さｄ４の断熱性に優れた第２断熱材を仮止めする。
（５）仮止めした前記蓄熱体、前記加熱体、前記第１断熱材および前記第２断熱材の全体を落下防止用止め材を用いて支持・固定する。
【００２０】
本発明の請求項１３記載の発明は、請求項１１あるいは請求項１２に記載の蓄熱式床暖房方法において、
工程（１）において、内袋に潜熱蓄熱材を充填していない二重構造袋を用い、下地合板裏面を覆うように密接して、かつ前記二重構造袋の内袋に所定量の潜熱蓄熱材を脱気密封充填した後に所定の厚さｄ１の蓄熱体が形成されるように前記二重構造袋を仮止めし、
工程（２）において、仮止めした前記二重構造袋裏面を覆うように密接して所定の厚さｄ２のパイプマット形状の加熱体を仮止めし、
工程（３）において、仮止めした前記加熱体裏面を覆うように密接して所定の厚さｄ３の耐熱性に優れた第１断熱材を仮止めし、
工程（４）において、仮止めした前記第１断熱材裏面を覆うように密接して所定の厚さｄ４の断熱性に優れた第２断熱材を仮止めし、
工程（５）において、仮止めした前記二重構造袋、前記加熱体、前記第１断熱材および前記第２断熱材および次の工程で所定量脱気密封充填する潜熱蓄熱材の全体を落下防止用止め材を用いて支持・固定した後、
工程（６）において、前記二重構造袋の内袋に所定量の潜熱蓄熱材を充填し脱気密封し、そして前記二重構造袋の外袋を脱気密封することを特徴とする。
【発明の効果】
【００２１】
本発明の請求項１記載の蓄熱式床暖房装置は、複数の大引の上に前記大引に対してほぼ直角に複数の根太を配設し、前記根太の上に床材を配設し、前記大引、前記根太および前記床材で囲まれる床下空間に装着した蓄熱式床暖房構造を備えた蓄熱式床暖房装置であって、
前記蓄熱式床暖房構造は、前記床材裏面を覆うように密接して、かつ前記根太間の長手方向に平行に配設された所定の厚さｄ１の蓄熱体と、前記蓄熱体裏面を覆うように密接して、かつ前記根太間の長手方向に平行に配設された所定の厚さｄ２のパイプマット形状の加熱体と、前記加熱体裏面を覆うように密接して、かつ前記根太間の長手方向に平行に配設された所定の厚さｄ３の耐熱性に優れた第１断熱材と、前記第１断熱材裏面および前記根太裏面を覆うように密接して、かつ前記大引間の長手方向に平行に配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置であり、
既存の建物であっても既に建物内に設置されている家具などを移動させたり、床材を剥がしたりすることなく、床下から床暖房工事をすることができるので居住者が生活していても工事ができ、床高さが違って段差が生じることがなく、床暖房以外の工事がなく、手間が少なくて済み、工事期間が短くなり工事費が安くなる上、前記蓄熱体、前記加熱体、前記第１断熱材および前記第２断熱材をこの順に積層して全体を落下防止用止め材を用いて所定の位置にしっかりと支持・固定するので、施工性が向上し、精度よく装着できる上、前記蓄熱体に前記加熱体からの熱をよく熱交換して蓄え、蓄えた熱を他に散逸させずに床暖房に有効利用できるので熱効率がよくなり、
また、ヒートポンプで暖められた湯水を貯湯タンクに一旦蓄えずに直接使用するので、設備が小さくてよく、そのためエネルルギー利用効率が向上するという顕著な効果を奏する。
【００２２】
本発明の請求項２記載の発明は、請求項１記載の蓄熱式床暖房装置において、前記根太の厚さをＤ１とし、前記大引の厚さをＤ２とすると、Ｄ１〜Ｄ２、ｄ１〜ｄ４が前記の式（１）、式（２）で表される関係にあることを特徴とするものであり、
前記大引、前記根太および前記床材で囲まれる床下空間に合わせてコンパクトに蓄熱式床暖房構造を装着でき、かつその性能をより発揮させることができというさらなる顕著な効果を奏する。
【００２３】
本発明の請求項３記載の発明は、複数の大引の上に下地合板を配設し、前記下地合板の上に床材を密接して配設し、前記大引および前記下地合板で囲まれる床下空間に装着した蓄熱式床暖房構造を備えた蓄熱式床暖房装置であって、
前記蓄熱式床暖房構造は、前記下地合板裏面を覆うように密接して配設された所定の厚さｄ１の蓄熱体と、前記蓄熱体裏面を覆うように密接して配設された所定の厚さｄ２のパイプマット形状の加熱体と、前記加熱体裏面を覆うように密接して配設された所定の厚さｄ３の耐熱性に優れた第１断熱材と、前記第１断熱材裏面を覆うように密接して配設された所定の厚さｄ４の断熱性に優れた第２断熱材と、前記蓄熱体、前記加熱体、前記第１断熱材および前記第２断熱材の全体を支持・固定する落下防止用止め材とを備えて構成されており、
別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房装置であり、
既存の建物であっても既に建物内に設置されている家具などを移動させたり、床材を剥がしたりすることなく、床下から床暖房工事をすることができるので居住者が生活していても工事ができ、床高さが違って段差が生じることがなく、床暖房以外の工事がなく、手間が少なくて済み、工事期間が短くなり工事費が安くなる上、前記蓄熱体、前記加熱体、前記第１断熱材および前記第２断熱材をこの順に積層して全体を落下防止用止め材を用いて所定の位置にしっかりと支持・固定するので、施工性が向上し、精度よく装着できる上、前記蓄熱体に前記加熱体からの熱をよく熱交換して蓄え、蓄えた熱を他に散逸させずに床暖房に有効利用できるので熱効率がよくなり、
また、根太の代わりに下地合板を用いたので振動などが少なくなるなど居住性が向上し、ヒートポンプで暖められた湯水を貯湯タンクに一旦蓄えずに直接使用するので、設備が小さくてよく、そのためエネルルギー利用効率が向上するという顕著な効果を奏する。
【００２４】
本発明の請求項４記載の発明は、請求項１から請求項３のいずれかに記載の蓄熱式床暖房装置において、前記蓄熱体は、潜熱蓄熱材を脱気密封充填したプラスチック系多層積層体からなる袋体を内袋とし、アルミニウム層を有する多層積層体からなる袋体を外袋とし、前記外袋に前記内袋を脱気密封包装した二重構造袋であることを特徴とするものであり、
内袋に潜熱蓄熱材を脱気密封充填し、外袋に内袋を脱気密封包装してあり、かつ、外袋はアルミニウム層を有する多層積層体からなる袋体を用いたので、熱伝導効率が向上し、潜熱蓄熱材の熱を床材に効率よく伝導して加熱できる効果があり、また外袋に内袋を脱気密封包装した二重構造袋としたため、万一内袋から潜熱蓄熱材の漏洩などがあっても外袋により外部への漏洩などを防げるので、安全性が高く、環境汚染を防止でき、そのため長期間使用でき、信頼性が向上するというさらなる顕著な効果を奏する。
【００２５】
本発明の請求項５記載の発明は、請求項１から請求項４のいずれかに記載の蓄熱式床暖房装置において、
前記パイプマット形状の加熱体は、前記ヒートポンプユニットからの温水を供給する往路メインパイプ端部から直交して多数枝別れして前記根太間の長手方向に平行にそれぞれ並列して配設された熱交換用パイプと、熱交換して前記蓄熱体を加熱した後に温水を前記ポンプユニットへ戻すために前記多数の熱交換用パイプヒートを端部に直交して接続した復路メインパイプを備えていることを特徴とするものであり、
簡単な構成で、熱交換特性がよく、ヒートポンプユニットからの温水が往路メインパイプ端部から熱交換用パイプに供給され、熱交換用パイプにおいて効率よく熱交換して蓄熱体に蓄えることができ、そして熱交換して蓄熱体を加熱した後に温水を復路メインパイプ端部を経てポンプユニットへ戻し循環して制御するようにしたので、省電力および省エネルギー化を達成でき、成績係数（ＣＯＰ、Ｃｏｅｆｆｉｃｉｅｎｔ  ｏｆ  Ｐｅｒｆｏｒｍａｎｃｅ）を向上することができるというさらなる顕著な効果を奏する。
【００２６】
本発明の請求項６記載の発明は、請求項１から請求項５のいずれかに記載の蓄熱式床暖房装置において、
前記第１断熱材は前記パイプマット形状の加熱体からの繰り返し熱エネルギーに耐える耐熱性を有し、前記第２断熱材は前記第１断熱材より優れた断熱性を有するように材料を選定して、前記蓄熱体に蓄えられたエネルギーが床暖房に効率よく使われるように構成したことを特徴とするものであり、
第１断熱材は加熱体から繰り返し伝えられる熱エネルギーサイクルに耐える必要があるため、断熱特性よりもまず耐熱性を有するように材料を選定する必要があり、一方第２断熱材は蓄熱体に蓄えられた熱が床材以外に散逸しないように断熱するために耐熱性よりも断熱特性が必要であり、すなわち第１断熱材よりもより優れた断熱性を有するように材料を選定すれば、蓄熱体に蓄えられたエネルギーを床暖房に効率よく使うことができるというさらなる顕著な効果を奏する。
【００２７】
本発明の請求項７記載の発明は、請求項１から請求項６のいずれかに記載の蓄熱式床暖房装置において、
前記落下防止用止め材が、前記大引間の長さを有する棒状の複数の第１落下防止用止め材と前記第１落下防止用止め材を前記大引間の前記第２断熱材裏面に設置し、設置した前記第１落下防止用止め材を前記大引に固定するための複数の第２落下防止用止め材とからなり、前記第１落下防止用止め材と前記第２落下防止用止め材を用いて、前記蓄熱体、前記加熱体、前記第１断熱材および前記第２断熱材の全体を支持・固定する構成としたことを特徴とするものであり、
簡単な構成で、床下から工事して蓄熱体、加熱体、第１断熱材および第２断熱材の全体を支持・固定でき、それぞれの特性を発揮できるようにできるというさらなる顕著な効果を奏する。
【００２８】
本発明の請求項８記載の発明は、請求項７記載の蓄熱式床暖房装置において、前記第２落下防止用止め材が、前記棒状の第１落下防止用止め材の両端部に一体に形成されて配設されていることを特徴とするものであり、
より簡単な構成で、床下からの工事をより容易に行うことができ、そして蓄熱体、加熱体、第１断熱材および第２断熱材の全体をしっかりと支持・固定でき、それぞれの特性を発揮できるようにできるというさらなる顕著な効果を奏する。
【００２９】
本発明の請求項９記載の発明は、請求項８記載の蓄熱式床暖房装置において、  前記大引間の長さに合うように、長さを伸縮自在に変更して調節し、調節後その長さに固定できる構成としたことを特徴とするものであり、
長さを伸縮自在にし、かつ必要な長さの個所で長さを固定できるように構成したので、大引間の長さが多少違っても容易に対応することができ、床下からの工事をより容易に行うことができ、そして蓄熱体、加熱体、第１断熱材および第２断熱材の全体をしっかりと支持・固定でき、それぞれの特性を発揮できるようにできるというさらなる顕著な効果を奏する。
【００３０】
本発明の請求項１０記載の発明は、請求項１あるいは請求項２に記載の蓄熱式床暖房装置において、
前記落下防止用止め材が、前記第２断熱材を貫通して前記根太に貫通して達する釘状止め材であって、複数の前記釘状止め材を前記第２断熱材を貫通させて前記根太に貫通して固定して、前記蓄熱体、前記加熱体、前記第１断熱材および前記第２断熱材の全体を支持・固定する構成としたことを特徴とするものであり、  より簡単な構成で、安価であり、そして床下からの工事をより容易に行うことができ、そして蓄熱体、加熱体、第１断熱材および第２断熱材の全体をしっかりと支持・固定でき、それぞれの特性を発揮できるようにできるというさらなる顕著な効果を奏する。
【００３１】
本発明の請求項１１記載の発明は、複数の大引の上に前記大引に対してほぼ直角に複数の根太を配設し、前記根太の上に床材を配設し、前記大引、前記根太および前記床材で囲まれる床下空間に請求項１記載の蓄熱式床暖房構造を前記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法であり、
既存の建物であっても既に建物内に設置されている家具などを移動させたり、床材を剥がしたりすることなく、床下から床暖房工事をすることができるので居住者が生活していても工事ができ、床高さが違って段差が生じることがなく、床暖房以外の工事がなく、手間が少なくて済み、工事期間が短くなり工事費が安くなる上、前記蓄熱体、前記加熱体、前記第１断熱材および前記第２断熱材をこの順に積層して全体を落下防止用止め材を用いて所定の位置にしっかりと支持・固定するので、施工性が向上し、精度よく装着できる上、前記蓄熱体に前記加熱体からの熱をよく熱交換して蓄え、蓄えた熱を他に散逸させずに床暖房に有効利用できるので熱効率がよくなり、容易に床暖房することができ、
また、ヒートポンプで暖められた湯水を貯湯タンクに一旦蓄えずに直接使用するので、設備が小さくてよく、そのためエネルルギー利用効率が向上するという顕著な効果を奏する。
【００３２】
本発明の請求項１２記載の発明は、複数の大引の上に下地合板を配設し、前記下地合板の上に床材を密接して配設し、前記大引および前記下地合板で囲まれる床下空間に請求項３記載の蓄熱式床暖房構造を前記の工程（１）〜（５）によって装着し、別途設置されたヒートポンプユニットからの温水を前記パイプマット形状の加熱体に導き、前記加熱体を熱交換器として前記蓄熱体を加熱して蓄熱して床暖房することを特徴とする蓄熱式床暖房方法であり、
既存の建物であっても既に建物内に設置されている家具などを移動させたり、床材を剥がしたりすることなく、床下から床暖房工事をすることができるので居住者が生活していても工事ができ、床高さが違って段差が生じることがなく、床暖房以外の工事がなく、手間が少なくて済み、工事期間が短くなり工事費が安くなる上、前記蓄熱体、前記加熱体、前記第１断熱材および前記第２断熱材をこの順に積層して全体を落下防止用止め材を用いて所定の位置にしっかりと支持・固定するので、施工性が向上し、精度よく装着できる上、前記蓄熱体に前記加熱体からの熱をよく熱交換して蓄え、蓄えた熱を他に散逸させずに床暖房に有効利用できるので熱効率がよくなり、容易に床暖房することができ、
また、根太の代わりに下地合板を用いたので振動などが少なくなるなど居住性が向上し、ヒートポンプで暖められた湯水を貯湯タンクに一旦蓄えずに直接使用するので、設備が小さくてよく、そのためエネルルギー利用効率が向上するという顕著な効果を奏する。
【００３３】
本発明の請求項１３記載の発明は、請求項１１あるいは請求項１２に記載の蓄熱式床暖房方法において、
工程（１）において、内袋に潜熱蓄熱材を充填していない二重構造袋を用い、下地合板裏面を覆うように密接して、かつ前記二重構造袋の内袋に所定量の潜熱蓄熱材を脱気密封充填した後に所定の厚さｄ１の蓄熱体が形成されるように前記二重構造袋を仮止めし、
工程（２）において、仮止めした前記二重構造袋裏面を覆うように密接して所定の厚さｄ２のパイプマット形状の加熱体を仮止めし、
工程（３）において、仮止めした前記加熱体裏面を覆うように密接して所定の厚さｄ３の耐熱性に優れた第１断熱材を仮止めし、
工程（４）において、仮止めした前記第１断熱材裏面を覆うように密接して所定の厚さｄ４の断熱性に優れた第２断熱材を仮止めし、
工程（５）において、仮止めした前記二重構造袋、前記加熱体、前記第１断熱材および前記第２断熱材および次の工程で所定量脱気密封充填する潜熱蓄熱材の全体を落下防止用止め材を用いて支持・固定した後、
工程（６）において、前記二重構造袋の内袋に所定量の潜熱蓄熱材を充填し脱気密封し、そして前記二重構造袋の外袋を脱気密封することを特徴とするものであり、
仮止めした前記二重構造袋、前記加熱体、前記第１断熱材および前記第２断熱材おとび次の工程で所定量脱気密封充填する潜熱蓄熱材の全体を落下防止用止め材を用いて支持・固定した後、前記二重構造袋の内袋に所定量の潜熱蓄熱材を充填し脱気密封し、そして前記二重構造袋の外袋を脱気密封するようにしたので、使用する潜熱蓄熱材を別途工場などで作製し、専用トラックで工事現場に運び容易に充填し脱気密封することができるというさらなる顕著な効果を奏する。
【発明を実施するための最良の形態】
【００３４】
次に本発明の内容を図を用いて詳細に説明する。
図１は本発明の蓄熱式床暖房装置の蓄熱式床暖房構造の１例を説明する説明図である。
図２は本発明の蓄熱式床暖房装置の１例を説明する説明図である。
図３はパイプマット形状の加熱体の１例を説明する説明図である。
図４は蓄熱体の１例を説明する説明図である。
【００３５】
図１に示すように、本発明の蓄熱式床暖房装置１の蓄熱式床暖房構造２は、複数の大引３の上に大引３に対してほぼ直角に複数の根太４を配設し、根太４の上に床材５を配設し、大引３、根太２および床材５で囲まれる床下空間６に装着されており、この蓄熱式床暖房構造２は、床材５の裏面を覆うように密接して、かつ根太４間の長手方向４Ａに平行に蓄熱体７が配設されており、次いで蓄熱体７の裏面を覆うように密接して、かつ根太４間の長手方向４Ａに平行にパイプマット形状の加熱体８が配設されており、そして加熱体８の裏面を覆うように密接して、かつ根太４間の長手方向４Ａに平行に第１断熱材９が配設されており、そして第１断熱材９の裏面および根太４の裏面を覆うように密接して、かつ大引３間の長手方向３Ａに平行に第２断熱材１０が配設され、そして蓄熱体７、加熱体８、第１断熱材９および第２断熱材１０の全体が落下防止用止め材１１により支持・固定されて構成されている。１２は束柱である。
【００３６】
第１断熱材９および第２断熱材１０として使用する断熱材の選定をする際に使用できる断熱材の種類や熱伝導率やＪＩＳ規格などを記載した一覧表の例を表１（「平成１１年省エネルギー基準に基づく住宅断熱の設計・施工ガイド」、財団法人  建築環境・省エネルギー機構発行を参照）に示す。
表１に記載の断熱材の種類Ａ〜Ｅおよびその熱伝導率（λ）（Ｗ／（ｍ・Ｋ））［ｋｃａｌ／（ｍ・ｈ・℃）］を参考にし、耐熱温度（℃）については、例えば実用プラスチック成形加工便覧（日本プラスチック成型工業連合会編、産業図書株式会社発行の付（１４）プラスチックの性能表中の耐熱（℃）（連続））を参考にして、本発明で使用する第１断熱材９および第２断熱材１０を選定することができる。
【００３７】
第１断熱材９および第２断熱材１０として使用する断熱材の熱伝導率（λ）および耐熱温度（℃）の組み合わせは、第１断熱材が耐熱性に優れており、第２断熱材が断熱性に優れていればよく、特に限定されるものではない。例えば第１断熱材と第２断熱材が耐熱性および断熱性に優れている同一の断熱材を使用することもできる。
【００３８】
例え、同一の断熱材であっても第１断熱材９と第２断熱材１０とに分けて敷設することにより取り扱い性が向上し、大引３、根太２および床材５で囲まれる床下空間６の複雑な所定の位置に施工性よく、かつ精度よく第１断熱材９と第２断熱材１０を装着することができる。
【００３９】
第１断熱材９および第２断熱材１０として使用する際に求められる断熱材の特性としては、耐熱性と断熱性以外に、板状であること、硬度、圧縮強度、曲げ強さなどの機械的特性および吸水量、燃焼性（難燃性）、ホルムアルデヒド放散性、耐薬品性などの化学的物理的特性を挙げることができ、これらの特性を考慮して、信頼性に優れた第１断熱材９および第２断熱材１０を選定することが好ましい。
【００４０】
【表１】
2008304119.tif 000003
【００４１】
第１断熱材９は約５０℃以上８０℃以下程度の温度の加熱体８に直接接しており、加熱体８から繰り返し伝えられる熱エネルギーサイクルに耐える必要があるため、断熱特性も要求されるが、まず加熱体８から繰り返し伝えられる熱エネルギーサイクルに耐え得る耐熱性を有するように材料を選定する必要がある。
そのような第１断熱材９としては、具体的には、例えば、表１に示した高性能フェノール樹脂フォーム、ビーズ発泡ポリプロピレンフォーム、硬質ウレタンフォーム、発泡ポリエチレンフォームなどを挙げることができる。
例えば押出法ポリスチレンフォーム、ビーズ法ポリスチレンフォームなどは不適である。
【００４２】
第１断熱材９を設置すれば、ある程度の断熱効果を期待できるが、第２断熱材１０をさらに設置して、蓄熱体７に蓄えられた熱が床材５以外に散逸しないように断熱することが重要である。
そのために第２断熱材１０は耐熱性よりも断熱特性が必要であり、すなわち第１断熱材９よりもより優れた断熱性を有するように材料を選定することが好ましい。
そのような材料としては、具体的には、例えば、表１に示したビーズ発泡ポリスチレンフォーム、押出法ポリスチレンフォームなどを含む発泡プラスチックの他に、グラスウール・ロックウールなどの無機繊維系断熱材などを挙げることができる。
このように第１断熱材９と第２断熱材１０を敷設し、両者を併せ使用することにより加熱体８から繰り返し伝えられる熱エネルギーサイクルに耐えることができ、施工性よく、かつ精度よく装着することができる上、両断熱材を用いたことにより断熱能力が期待以上に向上し、床暖房の効力を室内側に発揮することができる。
【００４３】
落下防止用止め材１１は、大引３間の長さＬ１を有する棒状の第１落下防止用止め材１１−１と、第１落下防止用止め材１１−１を大引３間の第２断熱材１０の裏面に設置し、設置した第１落下防止用止め材１１−１を大引３に固定するための第２落下防止用止め材１１−２とからなる。
そして、第１落下防止用止め材１１−１と第２落下防止用止め材１１−２を用いて、蓄熱体７、加熱体８、第１断熱材９および第２断熱材１０の全体が支持・固定されている。１１−３は第２落下防止用止め材１１−２を大引３に固定するための釘である。
落下防止用止め材１１の材質は、特に限定されないが木材（角材、平板材など）、鉄、ステンレス、アルミニウム合金などの金属、プラスチックスなどを例示することができる。
【００４４】
図２に示すように、本発明の蓄熱式床暖房装置１は別途設置されたヒートポンプユニット［１ＭＵＳ５０２ＤＦＶ：ダイキン工業（株）］１３からの温水を制御して直接パイプマット形状の加熱体８に導き、加熱体８を熱交換器として蓄熱体７を加熱して蓄熱して床暖房するように構成されている。
【００４５】
図２〜３に示すように、パイプマット形状の加熱体８は、ヒートポンプユニット１３からの温水を供給する往路メインパイプ１４を経てその端部１５から端部１５に直交して多数枝別れして根太４間の長手方向４Ａに平行にそれぞれ並列して配設された熱交換用パイプ１６と、熱交換して蓄熱体７を加熱した後に温水をポンプユニット１３へ戻すために多数の熱交換用パイプ１６を端部１７に直交して接続した復路メインパイプ１８を備えている。
【００４６】
１９はヘッダーボックス、２０はヘッダーボックス１９内の往路メインパイプ１４および復路メインパイプ１８に設けられた開閉弁、２１はコントローラ、２２は加熱体８上に設置された温度センサを示し、コントローラ２１は温度センサ２２からの情報により各開閉弁２０の開度や開閉、温水の温度などを制御して、制御された温水を直接パイプマット形状の加熱体８に導き、加熱体８を熱交換器として蓄熱体７を加熱して蓄熱して床暖房するようになっている。
【００４７】
２３は冷媒管、２４は室内空調機を示し、ヒートポンプユニット１３からの冷媒を冷媒管２３を経て室内空調機２４に循環して送り、室内空調を行う。
図１６は、前記ヒートポンプユニット１３の冷凍回路を模式的に説明する説明図である。
【００４８】
前記ヒートポンプユニット１３は、圧縮機４０で冷媒を圧縮し、圧縮して高温となった冷媒を凝縮させる熱交換器３１、凝縮させた冷媒を膨張弁３２などを経て気化させて冷熱を発生させる蒸発器３３などを管路３４で連結した冷凍回路を備えており、前記熱交換器３１で高温になった冷媒ガスを加熱体８から復路メインパイプ１８を経て戻る温水と熱交換して温水を加熱し、加熱した温水を貯湯タンクに一旦蓄えずに直接往路メインパイプ１４を経て再度加熱体８へ循環するように構成されている。
【００４９】
根太の厚さをＤ１とし、大引の厚さをＤ２とした際、Ｄ１〜Ｄ２、ｄ１〜ｄ４が前記の式（１）、式（２）で表される関係にあると、大引３、根太４および床材５で囲まれる床下空間６に合わせてコンパクトに蓄熱式床暖房構造２を装着でき、これらの性能をそれぞれより発揮させることができる。
【００５０】
蓄熱体７の形態が特に限定されないが、図４（イ）、（ロ）に示すように、潜熱蓄熱材２５を脱気密封充填したプラスチック系多層積層体２６からなる袋体２７を内袋とし、図示しないアルミニウム層を有する多層積層体２８からなる袋体２９を外袋とし、外体２９に内袋２７を脱気密封包装して二重構造袋４０としたものが本発明で好ましく使用できる。
【００５１】
図４（イ）に示した内袋２７は４方柱ガゼット袋タイプの袋であり、内袋２７の長手側の４個所のシール部および底部２７−２をヒートシールし、口部２７−１から溶融させた潜熱蓄熱材２５を必要量充填した後、脱気して口部２７−１をヒートシールして密封して内袋２７を形成する。図４（イ）には、内袋２７のＡ−Ａを断面して示してある。
【００５２】
図４（ロ）に示したように、多層積層体２８からなる袋体２９もガゼット袋タイプの袋であり、シール部および底部２９−２をヒートシールし、口部２９−１から潜熱蓄熱材２５を脱気密封充填した袋体２７を内部に挿入した後、脱気して口部２９−１をヒートシールして密封して外袋２９を形成する。図４（ロ）には、外袋２９のＢ−Ｂを断面して示してある。
【００５３】
内袋２７に潜熱蓄熱材２５を脱気密封充填し、外袋２９に内袋２７を脱気密封包装してあり、かつ外袋２９はアルミニウム層を有する多層積層体２８からなる袋体を用いたので、熱伝導効率が向上し、潜熱蓄熱材２５の熱を床材５に効率よく伝導して加熱できる効果があり、また外袋２９に内袋２７を脱気密封包装した二重構造袋４０としたため、万一内袋２７から潜熱蓄熱材２５の漏洩などがあっても外袋２９により外部への漏洩などを防げるので、安全性が高く、環境汚染を防止でき、そのため長期間使用でき、信頼性が向上する。
【００５４】
内袋２７は潜熱蓄熱材２５を充填し潜熱蓄熱材２５が直接接触するため、高強度で耐久性を有することが強く要求され、材質や構造や形状などの特性を決める必要がある。
プラスチック系多層積層体２６としては、具体的には、例えば、外側から順にＰＥＴ＃１２層／接着剤層／ＳＶＭＰＥＴ＃１２層／接着剤層／ＯＮＹ＃２５層／接着剤層／ＬＬＤＰＥ＃１００層からなるプラスチック系多層積層体を例示することができる。
【００５５】
ＰＥＴ＃１２層：延伸ポリエチレンテレフタレートフィルム（平均厚さ１２μｍ）であり、硬度、耐熱性、耐薬品性、耐香臭性に優れ、常用耐熱温度は〜２００℃である。
接着剤層：接着力が大きくデラミネートが発生しない工業用接着剤ＤＲＹ（ドライラミネーション用接着剤）を使用する。
ＳＶＭＰＥＴ＃１２層：シリカ蒸着ポリエチレンテレフタレートフィルム（平均厚さ１２μｍ）であり、酸素透過度＝０．５ｍｌ／ｍ2 ・ｄ・ａｔｍ（２３℃６５％ＲＨ）と非常に小さい。
ＯＮＹ＃２５層：延伸ポリアミドフィルム（平均厚さ２５μｍ）であり、柔らかく強靱である。
ＬＬＤＰＥ＃１００層：線状低密度ポリエチレンフィルム（平均厚さ１００μｍ）であり、粘着性がありヒートシール性に優れヒートシール強度が高くシール部が強靱である。
【００５６】
内袋２７の形態は特に限定されないが、４方柱ガゼット袋タイプ、もしくは一般ガゼット袋タイプであると、ピンホールやクラックの発生を低減でき、立体構造のため蓄熱材２５の充填作業が容易で、かつ輸送中の袋同士の摩擦による破袋の危険性を回避できるので、本発明において好ましく使用できる。
【００５７】
外袋２９は内袋２７を保護するとともに、内袋２７から万一蓄熱材２５が漏れた時に防波堤となる役割があるので、高強度で耐久性を有することが強く要求され、材質や構造や形状などの特性を決める必要がある。
外袋２９に用いるアルミニウム層を有する多層積層体としては、具体的には、例えば、外側から順にＰＥＴ＃１２層／接着剤層／ＡＬ＃９層／接着剤層／ＯＮＹ＃２５層／接着剤層／ＬＬＤＰＥ＃１００層からなる多層積層体を例示することができる。
【００５８】
ＰＥＴ＃１２層：延伸ポリエチレンテレフタレートフィルム（平均厚さ１２μｍ）であり、硬度、耐熱性、耐薬品性、耐香臭性に優れ、常用耐熱温度は〜２００℃である。接着剤層：接着力が大きくデラミネートが発生しない工業用接着剤ＤＲＹ（ドライラミネーション用接着剤）を使用する。
ＡＬ＃９層：アルミニウム箔（平均厚さ９μｍ）の層であり、熱伝導率が高い上、酸素透過度＝０でありバリアー性が高い。
ＯＮＹ＃２５層：延伸ポリアミドフィルム（平均厚さ２５μｍ）であり、柔らかく強靱である。
ＬＬＤＰＥ＃１００層：線状低密度ポリエチレンフィルム（平均厚さ１００μｍ）であり、粘着性がありヒートシール性に優れヒートシール強度が高くシール部が強靱である。
【００５９】
外袋２９の形態は特に限定されないが、内袋２７と同じ４方柱ガゼット袋タイプ、もしくは一般ガゼット袋タイプが、内袋２７と同じ理由で好ましい。
【００６０】
図５〜８は、本発明で使用する他の落下防止用止め材の例を説明する説明図である。
図５に示した落下防止用止め材１１−４は、図１に示した落下防止用止め材１１が第１落下防止用止め材１１−１と第２落下防止用止め材１１−２とからなっていたものを両者を一体にしたものであり、第２落下防止用止め材が棒状の第１落下防止用止め材の両端部に一体に形成されて配設されている。落下防止用止め材１１−４を大引３間の第２断熱材１０の裏面に設置し、設置した落下防止用止め材１１−４の両端部を大引３に固定して、蓄熱体７、加熱体８、第１断熱材９および第２断熱材１０の全体を支持・固定している。１１−３は落下防止用止め材１１−４を大引３に固定するための釘である。
【００６１】
図６に示した落下防止用止め材１１−５は、第２断熱材１０を貫通して根太４に貫通して達する釘状止め材である。複数の釘状止め材１１−５を第２断熱材１０を貫通させて根太４に貫通して固定して、蓄熱体７、加熱体８、第１断熱材９および第２断熱材１０の全体を支持・固定している。
【００６２】
図７に示した落下防止用止め材１１−６は、第２断熱材１０を貫通して根太４に貫通して達する釘状止め材の他の例である。釘状止め材１１−６は、支持・固定をしっかり行うための釘状ないしビス状の金属製の固定部Ａと、第２断熱材１０に接して支持・固定するが第２断熱材１０を損なわないようにするため円、楕円、四角などの形状の木、プラスチック、金属などで作製された支持部Ｂとから成っている。複数の釘状止め材１１−６を第２断熱材１０を貫通させて根太４に貫通して固定して、蓄熱体７、加熱体８、第１断熱材９および第２断熱材１０の全体を支持・固定している。
【００６３】
図８（イ）は、本発明で使用する他の落下防止用止め材の例を説明する説明図であり、（ロ）はこの落下防止用止め材の伸縮部を示す断面説明図である。
図８に示した落下防止用止め材１１−７は、大引３間の長さに合うように、長さを伸縮自在に変更して調節し、調節後その長さに固定できる伸縮・固定可能な伸縮部Ｃを設けてあり、第２断熱材１０に接する面を第２断熱材１０を損なわないようにより平坦に構成した以外は図５に示した前記落下防止用止め材１１−４と同様にしてある。
長さを伸縮自在にし、かつ必要な長さの個所で長さを固定できるように構成したので、大引３間の長さが多少違っても容易に対応することができ、床下からの工事をより容易に行うことができ、そして蓄熱体、加熱体、第１断熱材および第２断熱材の全体をしっかりと支持・固定でき、それぞれの特性を発揮できるようにできる。
【００６４】
図９〜１２は、床下空間に蓄熱式床暖房構造を装着する工程の例を説明する説明図である。
先ず工程（１）で、図９に示すように、床材５の裏面を覆うように密接して、かつ根太４の間の長手方向４Ａに平行に所定の厚さｄ１の蓄熱体７を図示しない両面テープなどを用いて仮止めする。
【００６５】
次いで工程（２）で、図１０に示すように、仮止めした蓄熱体７の裏面を覆うように密接して、かつ根太４の間の長手方向４Ａに平行に所定の厚さｄ２のパイプマット形状の加熱体８を図示しない両面テープなどを用いて仮止めする。
【００６６】
そして工程（３）で、図１１に示すように、仮止めした加熱体８の裏面を覆うように密接して、かつ根太４の間の長手方向４Ａに平行に所定の厚さｄ３の耐熱性に優れた第１断熱材９を図示しない両面テープなどを用いて仮止めする。
【００６７】
次いで工程（４）で、図１２に示すように、仮止めした第１断熱材９の裏面および根太４の裏面を覆うように密接して、かつ大引３間の長手方向３Ａに平行に所定の厚さｄ４の断熱性に優れた第２断熱材１０を図示しない両面テープなどを用いて仮止めし、
【００６８】
そして工程（５）で、図１２に示すように、仮止めした蓄熱体７、加熱体８、第１断熱材９および第２断熱材１０の全体を第１落下防止用止め材１１−１および第２落下防止用止め材１１−２を用いて支持・固定する。
【００６９】
本発明で使用する蓄熱材は、融解潜熱が大きく、融点が約４０〜５０℃前後であり深夜電力利用や廃熱利用が可能であって、入手が容易で安価であり、融解〜凝固サイクルを長時間繰り返しても相分離せず、安定して蓄熱〜放熱を繰り返すことができる耐久性および信頼性の高い潜熱蓄熱材を用いる。
【００７０】
本発明で使用する潜熱蓄熱材としては、具体的には、例えば、酢酸ナトリウム３水塩、チオ硫酸ナトリウム５水塩、硫酸ナトリウム１０水塩、塩化カルシウム６水塩、硝酸マグネシウム６水塩、塩化マグネシウム６水塩から選ばれる潜熱蓄熱材を挙げることができる。これらは１種あるいは２種以上を混合して使用することもできる。
これらの潜熱蓄熱物質の中でも、酢酸ナトリウム３水塩は、蓄熱量が大きく入手も容易で安価であり本発明において好ましく使用できる。
【００７１】
本発明で使用する熱蓄熱材に、必要に応じて融点調整剤を使用することができる。融点調整剤としては、具体的には、例えば、水、硝酸アンモニウム、塩化アンモウニウム、臭化アンモニウム、硫酸アンモニウム、尿素、多価アルコール類、チオ硫酸ナトリウム５水塩、硫酸ナトリウム１０水塩から選ばれる融点調整剤を挙げることができる。
これらは比較的少量の添加で融点調整できる上、入手が容易で安価であり、本発明において好ましく使用できる。
これらの融点調整剤の中でも、硝酸アンモニウム、塩化アンモウニウム、尿素は、融点調整効果が大きく、入手も容易で安価であり本発明において好ましく使用できる。
【００７２】
本発明で使用する熱蓄熱材に、必要に応じて過冷却防止剤を使用することができる。過冷却防止剤としては、具体的には、例えば、ピロリン酸ナトリウム１０水塩、四ホウ酸ナトリウム１０水塩、炭酸ナトリウム１水塩、臭素酸バリウム１水塩、硫酸カルシウム２水塩、ピロリン酸二水素二ナトリウム６水塩、塩化カルシウム、臭化カルシウム、リン酸水素第二ナトリウム１２水塩、フッ化リチウム、塩化ナトリウム、塩化カリウム、塩化リチウムから選ばれる過冷却防止剤を挙げることができる。
これらは比較的少量の添加で過冷却を防止できる上、入手が容易で安価であり、本発明において好ましく使用できる。
これらの過冷却防止剤は使用する潜熱蓄熱物質に対応して選定して使用することが好ましく、例えば潜熱蓄熱物質が酢酸ナトリウム３水塩の場合は、ピロリン酸ナトリウム１０水塩、チオ硫酸ナトリウム５水塩や硫酸ナトリウム１０水塩の場合は、四ホウ酸ナトリウム１０などである。
【００７３】
本発明で使用する熱蓄熱材に、必要に応じて相分離防止剤として無機系繊維を配合することができる。
【００７４】
次に、（本発明で用いるアルミニウム層を有する多層積層体からなる袋体が、ポリプロピレンからなるブロー容器と比較して、熱伝導性に優れており、本発明で好ましく使用できることを示す試験）を行った。
外側から順にＰＥＴ＃１２層／接着剤層／ＡＬ＃９層／接着剤層／ＯＮＹ＃２５層／接着剤層／ＬＬＤＰＥ＃１００層からなる前記多層積層体シート（厚さ：１．５ｍｍ）を用いて試験用の袋体（横：５６０ｍｍ、縦：２４０ｍｍ、高さ：１７ｍｍ）を作製した。
【００７５】
この試験用の袋体に、下記の潜熱蓄熱材を溶融して３．２ｋｇ脱気密封充填した後、常温（２８±１℃）まで冷却し潜熱蓄熱材を固化させた。
潜熱蓄熱材：
酢酸ナトリウム３水塩７０質量部を用い、融点調整剤として尿素２４質量部を用い、両者を常温で攪拌・混合し、そして長繊維状パリゴルスカイト（商品名：ポレイシイＰＦ−Ａ、昭和ＫＤＥ（株）製）５質量部を添加して常温で攪拌・混合した後、６０℃以上に加熱して攪拌・混合しつつ溶融させ、そして６０℃未満で溶融状態を維持する程度の温度に維持しながら過冷却防止剤粉末としてピロリン酸ナトリウム１２水塩１質量部を攪拌・混合して潜熱蓄熱材を調製した。
【００７６】
一方、比較のためのポリプロピレンブロー容器（横：５６０ｍｍ、縦：２４０ｍｍ、高さ：２５ｍｍ、肉厚：１．５ｍｍ）に、前記の潜熱蓄熱材を溶融して３．２ｋｇ脱気密封充填した後、常温（２８±１℃）まで冷却し潜熱蓄熱材を固化させた。
【００７７】
図１３は試験設備の断面を説明する説明図であり、図１４は図１３に示した試験設備の平面断面を説明する説明図である。
試験設備５０は、冬の外気温を想定して−５℃に制御して維持された恒温室５１の中に設置されている。
試験設備５０の床材５の裏面を覆うように密接して常温まで冷却した前記試験用の袋体７−１および常温まで冷却した前記比較のためのポリプロピレンブロー容器７−２を配設し、これらの裏面を覆うように密接してパイプマット形状の加熱体８、加熱体８の裏面を覆うように密接して第１断熱材９、第１断熱材９の裏面を覆うように密接して第２断熱材１０を配設して、全体を支持・固定し、別途設置されたヒートポンプユニット１３（温水出力６．２ｋｗ）からの温水（５０〜５５℃）を往路メインパイプ１４を経て前記パイプマット形状の加熱体８に導いて前記加熱体を熱交換器として前記試験用の袋体７−１および前記比較のためのポリプロピレンブロー容器７−２を加熱し、復路メインパイプ１８を経てヒートポンプユニット１３に循環させた。
【００７８】
試験用の袋体７−１および前記比較のためのポリプロピレンブロー容器７−２の温度を温水循環開始から８時間まで測定した結果を、図１５に示す。
図１５から、本発明で用いるアルミニウム層を有する多層積層体からなる袋体７−１が、ポリプロピレンからなるブロー容器７−２と比較して、熱伝導性に優れており、本発明で好ましく使用できることが判る。
【００７９】
図１７は本発明の他の蓄熱式床暖房装置の蓄熱式床暖房構造の例を説明する説明図である。
図１７において、図１と同一符号の部分は同一機能をもつ部分である。
図１７において、蓄熱式床暖房構造２Ａは、複数の大引３の上に下地合板３０を配設し、下地合板３０の上に床材５を密接して配設し、大引３および下地合板３０で囲まれる床下空間６に装着されている。
前記蓄熱式床暖房構造２Ａは、下地合板３０裏面を覆うように密接して配設された所定の厚さｄ１の蓄熱体７と、蓄熱体７裏面を覆うように密接して配設された所定の厚さｄ２のパイプマット形状の加熱体８と、加熱体８裏面を覆うように密接して配設された所定の厚さｄ３の耐熱性に優れた第１断熱材９と、第１断熱材９裏面を覆うように密接して配設された所定の厚さｄ４の断熱性に優れた第２断熱材１０と、前記蓄熱体７、前記加熱体８、前記第１断熱材９および前記第２断熱材１０の全体を支持・固定する第１落下防止用止め材１１−１とる第２落下防止用止め材１１−２を備えて構成されている。
【００８０】
そして図示しない別途設置されたヒートポンプユニットからの温水を前記パイプマット形状の加熱体８に導き、加熱体８を熱交換器として蓄熱体７を加熱して蓄熱して床暖房するようになっている。
図１に示した蓄熱式床暖房構造２と同じ効果を奏する上、根太４の代わりに下地合板３０を用いたので振動などが少なくなるなど居住性が向上するなどのさらなる効果がある。
【００８１】
図１８は本発明の他の蓄熱式床暖房方法を説明する説明図である。
図１８において、図１７と同一符号の部分は同一機能をもつ部分である。
先ず工程（１）において外袋２９内に入れた内袋２７に潜熱蓄熱材２５を充填していない二重構造袋４０を下地合板３０裏面を覆うように密接して、かつ二重構造袋４０の内袋２７に所定量の潜熱蓄熱材２５を脱気密封充填した後に所定の厚さｄ１の蓄熱体７が形成されるように二重構造袋４０を仮止めし、工程（２）において、仮止めした二重構造袋４０裏面を覆うように密接して所定の厚さｄ２のパイプマット形状の加熱体８を仮止めし、工程（３）において、仮止めした加熱体８裏面を覆うように密接して所定の厚さｄ３の耐熱性に優れた第１断熱材９を仮止めし、工程（４）において、仮止めした第１断熱材９裏面を覆うように密接して所定の厚さｄ４の断熱性に優れた第２断熱材１０を仮止めし、工程（５）において、仮止めした二重構造袋４０、加熱体８、第１断熱材９および第２断熱材１０および次の工程で所定量脱気密封充填する潜熱蓄熱材２５の全体を第１落下防止用止め材１１−１および第２落下防止用止め材１１−２を用いて支持・固定した。
【００８２】
一方、別途工場で、酢酸ナトリウム３水塩７０質量部を用い、融点調整剤として尿素２４質量部を用い、両者を常温で攪拌・混合し、そして長繊維状パリゴルスカイト（商品名：ポレイシイＰＦ−Ａ、昭和ＫＤＥ（株）製）５質量部を添加して常温で攪拌・混合した後、６０℃以上に加熱して攪拌・混合しつつ溶融させ、そして６０℃未満で溶融状態を維持する程度の温度に維持しながら過冷却防止剤粉末としてピロリン酸ナトリウム１２水塩１質量部を攪拌・混合して調製した潜熱蓄熱材を常温まで冷却して固化させ、固化した潜熱蓄熱材を粉砕して粒径約１〜５ｍｍ程度の顆粒状にする。
【００８３】
そして、顆粒状にした潜熱蓄熱材２５を専用トラック５０に積載して工事現場に運び、二重構造袋４０の内袋２７に所定量の潜熱蓄熱材２５をパイプライン５１を経て空送して充填する。潜熱蓄熱材２５を充填した後に、内袋２７を脱気し所定の個所をヒートシールして密封する。そして内袋２７を脱気密封した後、外袋２９と内袋２７との間を脱気し、外袋２９の所定の個所ををヒートシールして密封して、二重構造袋４０を完成させる。
【００８４】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【産業上の利用可能性】
【００８５】
本発明の蓄熱式床暖房装置は、既存の建物であっても既に建物内に設置されている家具などを移動させたり、床材を剥がしたりすることなく、床下から床暖房工事をすることができるので居住者が生活していても工事ができ、床高さが違って段差が生じることがなく、床暖房以外の工事がなく、手間が少なくて済み、工事期間が短くなり工事費が安くなる上、前記蓄熱体、前記加熱体、前記第１断熱材および前記第２断熱材をこの順に積層して全体を落下防止用止め材を用いて所定の位置にしっかりと支持・固定するので、施工性が向上し、精度よく装着できる上、前記蓄熱体に前記加熱体からの熱をよく熱交換して蓄え、蓄えた熱を他に散逸させずに床暖房に有効利用できるので熱効率がよくなり、
また、ヒートポンプで暖められた湯水を貯湯タンクに一旦蓄えずに直接使用するので、設備が小さくてよく、そのためエネルルギー利用効率が向上するという顕著な効果を奏するので、産業上の利用価値は甚だ大きい。
【図面の簡単な説明】
【００８６】
【図１】本発明の蓄熱式床暖房装置の蓄熱式床暖房構造の１例を説明する説明図である。
【図２】本発明の蓄熱式床暖房装置の１例を説明する説明図である。
【図３】パイプマット形状の加熱体の１例を説明する説明図である。
【図４】蓄熱体の１例を説明する説明図である。
【図５】本発明で使用する他の落下防止用止め材の例を説明する説明図である。
【図６】本発明で使用する他の落下防止用止め材の例を説明する説明図である。
【図７】本発明で使用する他の落下防止用止め材の例を説明する説明図である。
【図８】本発明で使用する他の落下防止用止め材の例を説明する説明図である。
【図９】床下空間に蓄熱式床暖房構造を装着する工程の例を説明する説明図である。
【図１０】床下空間に蓄熱式床暖房構造を装着する工程の例を説明する説明図である。
【図１１】床下空間に蓄熱式床暖房構造を装着する工程の例を説明する説明図である。
【図１２】床下空間に蓄熱式床暖房構造を装着する工程の例を説明する説明図である。
【図１３】試験設備の断面を説明する説明図である。
【図１４】図１３に示した試験設備の平面断面を説明する説明図である。
【図１５】試験設備で試験した結果を示すグラフである。
【図１６】ヒートポンプユニットの冷凍回路を模式的に説明する説明図である。
【図１７】本発明の他の蓄熱式床暖房装置の蓄熱式床暖房構造の例を説明する説明図である。
【図１８】本発明の他の蓄熱式床暖房方法を説明する説明図である。
【符号の説明】
【００８７】
Ｃ  伸縮部
Ｄ１  根太の厚さ
Ｄ２  大引の厚さ
ｄ１  蓄熱体の厚さ
ｄ２  加熱体と
ｄ３  第１断熱材と
ｄ４  第２断熱材
１  蓄熱式床暖房装置
２、２Ａ  蓄熱式床暖房構造
３  大引
３Ａ  大引の長手方向
４  根太
４Ａ  根太の長手方向
５  床材
６  床下空間
７  蓄熱体
８  加熱体
９  第１断熱材
１０  第２断熱材
１１  落下防止用止め材
１１−１  第１落下防止用止め材
１１−２  第３落下防止用止め材
１１−３〜１１−７  他の落下防止用止め材
１２  束柱
１３  ヒートポンプユニット
１４  往路メインパイプ
１５、１７  端部
１６  熱交換用パイプ
１８  復路メインパイプ
１９  ヘッダーボックス
２０  開閉弁
２１  コントローラ
２２  温度センサ
２３  冷媒管
２４  空調機
２５  蓄熱材
２６  多層積層体
２７  袋体（内袋）
２８  アルミニウム層を有する多層積層体
２９  袋体（外袋）
３０  下地合板
４０  二重構造袋
【図１】
2008304119.tif 000004
【図２】
2008304119.tif 000005
【図３】
2008304119.tif 000006
【図４】
2008304119.tif 000007
【図５】
2008304119.tif 000008
【図６】
2008304119.tif 000009
【図７】
2008304119.tif 000010
【図８】
2008304119.tif 000011
【図９】
2008304119.tif 000012
【図１０】
2008304119.tif 000013
【図１１】
2008304119.tif 000014
【図１２】
2008304119.tif 000015
【図１３】
2008304119.tif 000016
【図１４】
2008304119.tif 000017
【図１５】
2008304119.tif 000018
【図１６】
2008304119.tif 000019
【図１７】
2008304119.tif 000020
【図１８】
2008304119.tif 000021